(57)【要約】【課題】従来のサンプル用トレイでは、商品の邪魔になるおそれがあり、複数の商品サンプルを展示した際、商品の陳列場所が雑然とした状態になり易いという問題点があった。【解決手段】陳列棚１００の前端に装着して商品サンプルＳを載置するサンプル用トレイＴ１であって、陳列棚１００の前端に装着するための装着部１と、装着部１の前面側で商品サンプルＳを載置するための載置部２と、載置部２の前面側で表示物Ｐを表示するための表示部３とを備え、少なくとも装着部１及び載置部２を一体化した断面形状を連続的に有する長尺部材から成るものとし、陳列した商品Ａの邪魔にならずに商品サンプルＳを展示し得ると共に、複数の商品サンプルＳの整理を容易にする。【選択図】図１
2019217100.tif 000002
【特許請求の範囲】
【請求項１】
陳列棚の前端に装着して商品サンプルを載置するサンプル用トレイであって、
陳列棚の前端に装着するための装着部と、装着部の前面側で商品サンプルを載置するための載置部と、載置部の前面側で表示物を表示するための表示部とを備え、
装着部、載置部及び表示部のうちの少なくとも装着部及び載置部を一体化した断面形状を連続的に有する部材から成ることを特徴とするサンプル用トレイ。
【請求項２】
載置部が、長手方向に所定間隔で仕切壁を配置した仕切部材を備えていることを特徴とする請求項１に記載のサンプル用トレイ。
【請求項３】
装着部、載置部及び表示部が、透明な部材から成ることを特徴とする請求項１又は２に記載のサンプル用トレイ。
【発明の詳細な説明】
【技術分野】
【０００１】
本発明は、店舗等において、陳列棚の前端に装着して、香りサンプル等の各種の商品サンプルを展示するのに用いられるサンプル用トレイに関するものである。
【背景技術】
【０００２】
従来におけるサンプル用トレイとしては、展示用ケースの名称で、特許文献１に記載されたものがある。特許文献１に記載の展示用ケースは、上方に開放された箱形を成すものであり、収容した商品サンプルを容易に目視することができるように、正面の上側も開放されている。この展示用ケースは、背面の上部に形成した孔部と、背面から出没可能な支え部材とを備えている。
【０００３】
そして、展示用ケースは、孔部に陳列用フックを挿入することで、吊り下げられた状態で商品サンプルを展示する。また、展示用ケースは、支え部材を折り曲げて背面から突出させ、その背面を下向きにして置くことで傾斜した姿勢にすることができ、陳列棚等の上で商品サンプルを展示する。
【先行技術文献】
【特許文献】
【０００４】
【特許文献１】実用新案登録第３２０７３４０号
【発明の概要】
【発明が解決しようとする課題】
【０００５】
しかしながら、上記したような従来のサンプル用トレイにあっては、陳列用フックに吊り下げた状態、若しくは陳列棚等の上に載置した状態で使用することから、陳列した商品の邪魔になるおそれがあると共に、複数の商品サンプルを展示した場合、商品の陳列場所が雑然とした状態になり易いという問題点があり、このような問題点を解決することが課題であった。
【０００６】
本発明は、上記従来の課題に着目して成されたもので、陳列した商品の邪魔にならずに商品サンプルを展示し得ると共に、複数の商品サンプルの整理を容易にすることができるサンプル用トレイを提供することを目的としている。
【課題を解決するための手段】
【０００７】
本発明に係わるサンプル用トレイは、陳列棚の前端に装着して商品サンプルを載置するものであって、陳列棚の前端に装着するための装着部と、装着部の前面側で商品サンプルを載置するための載置部と、載置部の前面側で表示物を表示するための表示部とを備えている。そして、上記のサンプル用トレイは、装着部、載置部及び表示部のうちの少なくとも装着部及び載置部を一体化した断面形状を連続的に有する部材から成ることを特徴としている。
【発明の効果】
【０００８】
本発明に係わるサンプル用トレイは、装着部により陳列棚の前端に装着し、載置部に商品サンプルを載置し、表示部にはプライスカードや宣伝広告等の表示物を表示する。この際、サンプル用トレイは、少なくとも装着部及び載置部を一体化した断面形状を連続的に有する部材から成るものであるから、陳列棚の幅寸法等に応じて適当な長さにすることが可能であると共に、陳列棚の前端に、その幅方向に沿って配置され、載置部には、複数の商品サンプルを整列状態で展示する。このようにして、サンプル用トレイは、陳列した商品の邪魔にならずに商品サンプルを展示し得ると共に、複数の商品サンプルの整理を容易にすることができる。
【図面の簡単な説明】
【０００９】
【図１】本発明に係わるサンプル用トレイの第１実施形態を説明する断面図である。
【図２】図１に示すサンプル用トレイの正面図である。
【図３】図１に示すサンプル用トレイの平面図である。
【図４】第２実施形態のサンプル用トレイを分解状態で示す断面図である。
【図５】図４中の棚用仕切部材を説明する正面図（Ａ）及び側面図（Ｂ）である。
【図６】図４に示すサンプル用トレイを組立状態で示す断面図である。
【図７】第３実施形態のサンプル用トレイを分解状態で示す断面図である。
【図８】図７に示すサンプル用トレイを組立状態で示す断面図である。
【図９】第４実施形態のサンプル用トレイを分解状態で示す断面図である。
【図１０】図９に示すサンプル用トレイを組立状態で示す断面図である。
【図１１】第５実施形態のサンプル用トレイを示す断面図である。
【図１２】第６実施形態のサンプル用トレイを示す断面図である。
【図１３】仕切部材の一例を説明する正面図（Ａ）及び側面図（Ｂ）である。
【図１４】仕切部材の他の例を説明する正面図（Ａ）及び側面図（Ｂ）である。
【発明を実施するための形態】
【００１０】
〈第１実施形態〉
図１〜図３は、本発明に係わるサンプル用トレイの第１実施形態を示す図である。図示のサンプル用トレイＴ１は、店舗等において、陳列棚１００の前端に装着して商品サンプルＳを載置するものである。なお、以下の各実施形態では、陳列棚１００の背面から正面に至る方向を前方向とし、正面から背面に至る方向を後方向として、サンプル用トレイＴ１の各構成の位置関係を説明する。
【００１１】
陳列棚１００は、代表的な構造として、前端に、プライスカード１５０を取り付けるための断面凹型のレール部１０２を備えると共に、前端近傍の上部に、各種器具の取り付けに使用する溝部１０１を備えている。レール部１０２及び溝部１０１は、陳列棚１００の幅方向にわたって設けてある。商品サンプルＳは、例えば、商品の香りを確認するための香りサンプルや、試供品類であるが、それらの選択は自由である。
【００１２】
図示のサンプル用トレイＴ１は、概略として、陳列棚１００の前端に装着するための装着部１と、装着部１の前面側で商品サンプルＳを載置するための載置部２と、載置部２の前面側でカード等の表示物を表示するための表示部３とを備えている。
【００１３】
また、サンプル用トレイＴ１は、装着部１、載置部２及び表示部３のうちの少なくとも装着部１及び載置部２を一体化した断面形状を連続的に有する部材から成る構成を採用することができる。この実施形態のサンプル用トレイＴ１は、装着部１、載置部２及び表示部３の全てを一体化した断面形状を連続的に有する長尺部材で形成してある。
【００１４】
さらに、サンプル用トレイＴ１は、その材料がとくに限定されるものではないが、例えば、プラスチック製であって、より望ましくは、透明なプラスチックを用いる。この実施形態のサンプル用トレイＴ１は、例えば、押し出し成形により製造することができる。押し出し成形した部材は、陳列棚１００の幅寸法等に応じて、適当な長さに切断することができる。
【００１５】
なお、サンプル用トレイＴ１を構成する部材は、その製造方法が特に限定されるものではなく、押し出し成形のほか、断面形状等の条件に応じて、射出成形により製造したり、平坦な材料を折り曲げ加工して製造したりすることが可能である。材料がプラスチックの場合には、加熱を伴う折り曲げ加工を採用し得る。
【００１６】
上記のサンプル用トレイＴ１において、装着部１は、図１に示すように、陳列棚１００の溝部１０１に下端部が差し込まれる第１支持板１Ａと、陳列棚１００のレール部１０２の内側面に先端部が当接する第２支持板１Ｂとを備えている。第１及び第２の支持板１Ａ，１Ｂは、載置部２に一体化されている。
【００１７】
載置部２は、陳列棚１００の前端側で上向きに傾斜した後面板２Ａと、後面板２Ａの下端部から垂直に連続する底面板２Ｂと、底面板２Ｂの前端から鉛直に連続する前面板２Ｃとを備えている。前面板２Ｃは、底面板２Ｂに載置した商品サンプルＳを見易くするために、後面板２Ａの上下寸法よりも小さい上下寸法を有している。ここで、第１支持板１Ａは、載置部２における後面板２Ａの上端から垂下している。また、第２支持板１Ｂは、後面板２Ａの後面の中間から垂直に突出している。
【００１８】
なお、サンプル用トレイＴ１は、樹脂の押し出し成形で製造した部材（長尺部材）を採用した場合、載置部２の内側空間が部材の端部で開放された状態になる。そこで、本発明に係わるサンプル用トレイは、載置部２に、商品サンプルＳを個別に保持するための仕切部材を設けることができる。この仕切部材については、後に図１３及び図１４１２に基づいて詳述する。
【００１９】
表示部３は、前後に配置した第１及び第２のプレート３Ａ，３Ｂを備えている。第１及び第２のプレート３Ａ，３Ｂは、下端部同士が連続していると共に、第２プレート３Ｂの上端が、ヒンジ３Ｃを介して、載置部２の前面板２Ｃの上端に連続している。図示例の第１及び第２のプレート３Ａ，３Ｂは、標示物Ｐを差し込むために、双方の間に隙間を有するが、双方の間を広げる方向に弾性変形が可能であるから、隙間は必須ではない。
【００２０】
ヒンジ３Ｃは、円形状に図示してあるが、薄肉に形成して可撓性を持たせた構造にしても良い。これにより、表示部３は、図１中に仮想線で示すように、ヒンジ３Ｃを中心にして、手前上方に回動自在である。
【００２１】
上記構成を備えたサンプル用トレイＴ１は、第１及び第２の支持板１Ａ，１Ｂから成る装着部１により、陳列棚１００の前端に沿って装着される。そして、サンプル用トレイＴ１は、載置部２に、複数の商品サンプルＳを載置すると共に、表示部３の第１及び第２のプレート３Ａ，３Ｂの間に、商品の価格や宣伝広告を記載したシート状の表示体Ｐを差し込んだ状態にする。
【００２２】
上記のサンプル用トレイＴ１は、装着部１が、陳列棚１００の溝部１０１に差し込まれる第１支持板１Ａを有すると共に、載置部２が、第１支持板１Ａの上端に連続する後面板２Ａと、後面板２Ａの下端に連続する底面板２Ｂを有している。これにより、サンプル用トレイＴ１は、図１に示すように、陳列棚１００に陳列した商品Ａの落下防止体として機能すると共に、載置部２に載置した商品サンプルＳが商品Ａの邪魔になることもない。
【００２３】
また、上記のサンプル用トレイＴ１は、載置部２が、後面板２Ａの上限寸法よりも明らかに短い上下寸法の前面板２Ｃを有し、この前面板２Ｃの上端に、ヒンジ３Ｃを介して表示部３を吊り下げている。これにより、サンプル用トレイＴ１は、表示部３が商品サンプルＳを遮ることがなく、商品Ａ，商品サンプルＳ及び表示体Ｐのいずれも見易く展示することができる。
【００２４】
また、上記のサンプル用トレイＴ１は、図１に示すように、装着部１の第１支持板１Ａ、載置部２の前面板２Ｃ、及び表示部３が、ほぼ鉛直方向において互いに平行に配置され、載置部２において互いに直角を成す後面板２Ａ及び底面板２Ｂが傾斜している。これにより、サンプル用トレイＴ１は、商品サンプルＳを傾斜させて見易く展示しつつ、陳列棚１００の前端からの突出量を小さくし得る。このように水平方向への突出量を小さくすれば、売り場等で邪魔になる心配がない。
【００２５】
さらに、上記のサンプル用トレイＴ１は、複数の商品サンプルＳを配置する場合、それらの商品サンプルＳの置き場所として明確であるから、商品サンプルＳの整理整頓が行い易いうえに、消費者にとっても商品サンプルＳの取り扱いが容易である。
【００２６】
このようにして、サンプル用トレイＴ１は、陳列棚１００の前端で、その幅方向に沿って配置され、載置部２には、複数の商品サンプルＳを整列状態で展示することとなり、陳列した商品Ａの邪魔にならずに商品サンプルＳを展示し得ると共に、複数の商品サンプルＳの整理を容易にすることができる。
【００２７】
また、サンプル用トレイＴ１は、装着部１、載置部２及び表示部３を透明な材料で形成することにより、陳列棚１００上の商品Ａ、商品サンプルＳ及び表示体３をより確認し易くなるので、いわゆるＰＯＰ製品としてより一層効果的である。
【００２８】
さらに、サンプル用トレイＴ１は、表示部３が手前上方に回動自在であるから、仮に、下段の陳列棚から商品を取り出す際、その商品と表示部３とが接触したとしても、表示部３が回動して商品の取り出しを阻害することがなく、表示部３を破損する心配もない。
【００２９】
図４〜１２は、本発明に係わるサンプル用トレイの第２〜第６の実施形態を説明する図である。なお、以下の各実施形態において、第１実施形態と同等の構成部位は、同一符号を付して詳細な説明を省略する。
【００３０】
〈第２実施形態〉
図４及び図６示すサンプル用トレイＴ２は、陳列棚１００に配置した仕切板１０５と、この仕切板１０５に設けたカードホルダ１０６を利用して、陳列棚１００に装着する構造である。
【００３１】
仕切板１０５は、周知のものであって、図５に示すように、陳列棚１００上をその幅方向に仕切る本体部１０５Ａと、本体部１０５Ａの前端に設けた保持板１０５Ｂとを有している。本体部１０５Ａと保持板１０５Ｂは、互いに直角に連結してある。保持板１０５Ｂは、その後面の下辺に沿って、後方に突出する係合突起１０５Ｃを有している。
【００３２】
他方、カードホルダ１０６は、同じく周知のものであって、前後に配置した第１及び第２のプレート１０６Ａ，１０６Ｂを有する。第１及び第２のプレート１０６Ａ，１０６Ｂは、下端部同士で連結してあり、後部プレート１０６Ｂの上端には、ヒンジ１０６Ｃを介して、装着板１０６Ｄの上端が回動可能に連結してある。装着板１０６Ｄは、その後面の下端近傍に沿って、上向きに屈曲した鉤片１０６Ｅを有する。鉤片１０６Ｅの内側には、上方に開放した係合溝１０６Ｆが形成されている。
【００３３】
上記のカードホルダ１０６は、図６に示すように、装着板１０６Ｄの下端部を溝部１０１に差し込むと共に、係合溝１０６Ｆに保持板１０５Ｂの下端部を係合することで、仕切板１０５に装着される。この際、係合溝１０６Ｆと保持板１０５Ｂとの係合は、鉤片１０６Ｅを弾性変形させつつ、係合溝１０６Ｆの開放部から保持板１０５Ｂを押し込んでも良いし、係合溝１０６Ｆの端部から保持板１０５Ｂを挿入して適当な位置までスライドさせても良い。その後、仕切板１０５及びカードホルダ１０６は、溝部１０１と装着板１０６Ｄとの係合、及び係合溝１０６Ｆと保持板１０５Ｂの係合突起１０５Ｃとの係止により、上下方向及び前後方向の位置決めが成される。
【００３４】
この実施形態のサンプル用トレイＴ２は、第１実施形態で説明したトレイ（図１参照）と同等の基本構造を有している。図示のサンプル用トレイＴ２は、表示部３の第２プレート３Ｂが、載置部２の前面板２Ｃと同一面状に連なる状態で一体化してある。
【００３５】
上記のサンプル用トレイＴ２は、図６に示すように、装着部１の第１支持板１Ａをカードホルダ１０６の第１及び第２のプレート１０６Ａ，１０６Ｂ間に挟み込むことで、カードホルダ１０６及び仕切板１０５を介して、陳列棚１００前端に装着する。そして、サンプル用トレイＴ２は、載置部２に複数の商品サンプルＳを並べて載置し、表示部３には表示物（図１の符号Ｐ参照）を表示する。
【００３６】
上記のサンプル用トレイＴ２は、先の実施形態と同様に、陳列棚１００の前端側において、複数の商品サンプルＳを整列状態で展示することとなり、陳列した商品の邪魔にならずに商品サンプルＳを展示し得ると共に、複数の商品サンプルＳの整理を容易にすることができる。また、この実施形態のサンプル用トレイＴ２は、既存の仕切板１０５及びカードホルダ１０６を利用して、陳列棚１００に容易に装着することができるので、既存の設備に対して利便性が高いものとなる。
【００３７】
また、サンプル用トレイＴ２は、カードホルダ１０６のヒンジ１０６Ｃを中心にして、手前上方に回動可能であるから、陳列棚１００の前端形状に係わらず装着可能であり、仮に、下段の陳列棚から商品を取り出す際、その商品と表示部３とが接触したとしても、全体が回動して商品の取り出しを阻害することがなく、当該トレイＴ２自体を破損する心配もない。
【００３８】
〈第３実施形態〉
図７及び図８示すサンプル用トレイＴ３は、陳列棚１００上に配置した既存の仕切板１０５を利用して、陳列棚１００に装着する構造である。仕切板１０５は、第２実施形態で説明したように、本体部１０５Ａ、保持板１０５Ｂ、及び係合突起１０５Ｃを有する。
【００３９】
この実施形態のサンプル用トレイＴ３は、第２実施形態（図４参照）と同様の載置部２及び表示部３を有している。このサンプル用トレイＴ３は、装着部１として、第１及び第２の支持板１Ａ，１Ｂを備えると共に、第１支持板１Ａの後面の下部近傍に沿って、先述したカードホルダ（図４中の符号１０６参照）と同様の鉤片１Ｃ及び係合溝１Ｄを有する。
【００４０】
上記のサンプル用トレイＴ３は、第１支持板１Ａの下端部を溝部１０１に差し込むと共に、装着部３の係合溝１Ｄと仕切板１０５の保持板１０５Ｂとを係合し、装着部１の係止板１Ｂの先端をレール部１０２の内側面に当接させることで、仕切板１０５を介して陳列棚１００に装着する。そして、サンプル用トレイＴ３は、載置部２に複数の商品サンプルＳを並べて載置し、表示部３には表示物（図１の符号Ｐ参照）を表示する。
【００４１】
上記のサンプル用トレイＴ３は、先の実施形態と同様に、陳列棚１００の前端側において、複数の商品サンプルＳを整列状態で展示することとなり、陳列した商品の邪魔にならずに商品サンプルＳを展示し得ると共に、複数の商品サンプルＳの整理を容易にすることができる。
【００４２】
〈第４実施形態〉
図９及び図１０に示すサンプル用トレイＴ４は、第３実施形態（図７参照）と同様に、既存の仕切板１０５を介して陳列棚１００に装着する構造であると共に、既存のカードホルダ１０６を表示部（３）として利用することができる。
【００４３】
すなわち、図示のサンプル用トレイＴ４は、第１及び第２の支持板１Ａ，１Ｂを有する装着部１と、後面板２Ａ及び底面板２Ｂを有する載置部２を備えている。第１支持板１Ａは、鉤片１Ｃ及び係合溝１Ｄを有している。つまり、この実施形態のサンプル用トレイＴ４は、装着部１、載置部２及び表示部（カードホルダ１０６）のうちの装着部１及び載置部２を一体化した断面形状を連続的に有する部材から成るものである。
【００４４】
また、サンプル用トレイＴ４は、載置部２が、後面板２Ａ及び底面板２Ｂを有すると共に、底面板２Ｂの前端に、連結板２Ｄを垂下状態に有している。この連結板２Ｄは、先述した仕切板の保持板（図５中の符号１０５Ｂ）に相当するもので、後面の下辺に沿って係合突起２Ｅを有している。
【００４５】
上記のサンプル用トレイＴ４は、装着部１における第１支持板１Ａの下端部を溝部１０１に差し込むと共に、係合溝１Ｄと仕切板１０５の保持板１０５Ｂとを係合して、仕切板１０５を介して陳列棚１００に装着する。そして、サンプル用トレイＴ４は、連結板２Ｄとカードホルダ１０６の係合溝１０６Ｆとを係合させることで、載置部２に表示部（３）としてのカードホルダ１０６を連結する。
【００４６】
上記のサンプル用トレイＴ４は、先の実施形態と同様に、陳列棚１００の前端側において、複数の商品サンプルＳを整列状態で載置し、陳列した商品の邪魔にならずに商品サンプルＳを展示し得ると共に、複数の商品サンプルＳの整理を容易にすることができる。また、サンプル用トレイＴ４は、既存のカードホルダ１０６を表示部（３）として利用することができるので、その分、材料歩留まりの向上や低コスト化などを実現する。
【００４７】
〈第５実施形態〉
図１１に示すサンプル用トレイＴ５は、既存の仕切板１０５を介して陳列棚１００に装着する構造であって、載置部２が、後面板２Ａ、底面板２Ｂ、及び面前板２Ｃを有すると共に、その内側に、複数の仕切壁２Ｅが長手方向に所定間隔で配置してある。つまり、載置部２は、上方に開放された箱形を成している。また、表示部３は、前後の第１及び第２のプレート３Ａ，３Ｂを有し、後部のプレート３Ｂが、載置部２の前面板２Ｃと同一面状に一体化してある。
【００４８】
上記のサンプル用トレイＴ５は、先の実施形態と同様に、陳列棚１００の前端側において、複数の商品サンプルＳを並べて載置して、陳列した商品の邪魔にならずに商品サンプルＳを展示し得ると共に、複数の商品サンプルＳの整理を容易にすることができる。また、サンプル用トレイＴ５は、仕切壁２Ｅを有する箱形の載置部２を有するので、夫々の商品サンプルＳの置き場がより明確であると共に、商品サンプルＳの展示姿勢を維持できるなどの利点がある。
【００４９】
〈第６実施形態〉  
図１２に示すサンプル用トレイＴ６は、第５実施形態と同様の基本構成を有すると共に、載置部２を構成する後面板２Ａの前面の上下に、互いに向き合う方向に突出した突片２Ｆ，２Ｆを有し、上下の突片２Ｆ，２Ｆの後面に、図中に仮想線で示す仕切部材１０の上下辺を差し込むようになっている。
【００５０】
仕切部材１０は、図１３に示すように、短冊状の基板１０Ａと、基板１０の長手方向に所定間隔で配置した仕切壁１０Ｂとを備えている。図示例の仕切壁１０Ｂは、扁平な台形状を成すと共に、サンプル用トレイＴ６の上下の突片２Ｆ，２Ｆに装着し得るように、基板１０Ａの幅方向（図中で上下方向）の中央領域に配置してある。この仕切部材１０は、プラスチックや紙などのシート材料を用いることができる。
【００５１】
上記構成を備えたサンプル用トレイＴ６は、先の実施形態と同様の効果をもたらすと共に、仕切部材１０の採用により、夫々の商品サンプルＳの置き場がより明確になると共に、商品サンプルＳの展示姿勢を維持することができる。
【００５２】
また、図１４は仕切部材の他の例を示す図である。図示の仕切部材２０は、図１３に例示したものと同様に、短冊状の基板２０Ａと、基板２０Ａの長手方向に所定間隔で配置した仕切壁２０Ｂとを備えている。
【００５３】
この仕切部材２０は、プラスチックや紙などのシート材料から成り、基板２０Ａに、台形の上底及び両斜辺に対応する切り込み２０Ｃが形成してある。そして、仕切部材２０は、台形の下底（点線部分）で折り曲げることにより、基板２０Ａから仕切壁２０Ｂを立ち上げる。
【００５４】
上記の仕切部材２０は、例えば、図１２に示すサンプル用トレイＴ６において、上下の辺を突片２Ｆ，２Ｆ間に装着することができる。また、仕切部材２０は、図１〜図１０に示すサンプル用トレイＴ１〜Ｔ４において、載置部２の後面板２Ａに載置したり、粘着テープなどにより後面板２Ａに貼り付けたりすることができる。
【００５５】
上記の仕切部材２０を備えたサンプル用トレイは、夫々の商品サンプルＳの置き場がより明確になると共に、商品サンプルＳの展示姿勢を維持することができ、また、一枚のシート材料から仕切部材２０を形成し得るので、軽量化や低コスト化などに貢献することができる。
【００５６】
なお、本発明に係わるサンプル用トレイは、その構成が上記各実施形態のみに限定されるものではなく、本発明の要旨を逸脱しない範囲で構成の細部を適宜変更したり、各実施形態に記載した構成を組み合わせたりすることが可能である。
【符号の説明】
【００５７】
Ｐ  標示物
Ｓ  商品サンプル
Ｔ１〜Ｔ６  サンプル用トレイ
１  装着部
２  載置部
３  表示部
１０，２０  仕切部材
１０Ｂ，２０Ｂ  仕切壁
１００  陳列棚
１０６  カードホルダ（表示部）、
【図１】
2019217100.tif 000003
【図２】
2019217100.tif 000004
【図３】
2019217100.tif 000005
【図４】
2019217100.tif 000006
【図５】
2019217100.tif 000007
【図６】
2019217100.tif 000008
【図７】
2019217100.tif 000009
【図８】
2019217100.tif 000010
【図９】
2019217100.tif 000011
【図１０】
2019217100.tif 000012
【図１１】
2019217100.tif 000013
【図１２】
2019217100.tif 000014
【図１３】
2019217100.tif 000015
【図１４】
2019217100.tif 000016